(57)【特許請求の範囲】
【請求項１】
屋根の前枠又は後枠に形成された屋根材挿入溝内に弾性を有する抜け防止金具を設け、上記挿入溝の上縁と抜け防止金具との間に屋根材を挿入し、上記屋根材を上記屋根材挿入溝の上縁に押圧させて上記屋根材上面と上縁上面とを略平面状にして固定した屋根材の抜け防止構造であって、上記挿入溝は、上縁とそれよりも長い下縁の屋根材挿入と反対側を連結縁で略コ字形に形成するとともに、下縁の開口側の端部に連結縁よりも短い支持縁を起立形成することによって成り、上記上縁と支持縁との間に上記屋根材を挿入するようにしたものであることを特徴とする屋根材の抜け防止構造。
【請求項２】
前記抜け防止金具は、前記上縁に沿うように配設される押圧片の一側に前記連結縁の高さよりも小さい間隔保持片を屈曲形成し、上記押圧片の他側には略Ｖ字形の折り曲げ片を形成して成り、前記挿入溝の開口側に上記折り曲げ片が対応するように取り付けられた、請求項１に記載の屋根材の抜け防止構造。
【発明の詳細な説明】
【０００１】
【発明の属する技術分野】
本発明はテラス、カーポート、バルコニー等の屋根において、屋根下方からの風の吹き当てによって屋根材があおられてばたついたり、さらには枠から抜けて飛び出すのを防止する屋根材の抜け防止構造に関する。
【０００２】
【従来技術】
一般に、テラス屋根の屋根材の縁部は、建物躯体の外壁に固定した垂木掛け（後枠）と、上記外壁から離れた位置に支柱によって支持された前枠と、垂木掛けと前枠とに一定の間隔で掛け渡された垂木及び両端の側枠とによって形成された方形の枠の内側に形成された嵌合溝内に嵌合することによって取り付けられている。カーポート、バルコニー等の屋根材も同様である。
【０００３】
【発明が解決しようとする課題】
ところで、建物躯体に向かって強風が吹く場合、風は躯体の外壁に当たり、一部は壁面に沿って吹き上がり、テラス、カーポート、バルコニー等の屋根材に対して下から吹き付ける。このため、屋根材はあおられ、撓んでばたつく。屋根材が撓むとき、中央部は持ち上げられるので、屋根材の中央部は必然的に中心側に引き寄せられる。その結果、屋根材の縁部は枠の嵌合溝から抜け出すことがある。屋根材は垂木上においてはその上から垂木カバーで押えられるので比較的強固に固定されるが、垂木のピッチが大きい場合は抜けが生じやすい。前枠や後枠においては、嵌合溝に嵌合されているだけであるから、屋根材の嵌合溝に対して少し肉薄の屋根材を嵌合した場合は屋根材が撓みやすく、かつ抜けやすい。屋根材が抜け出すと、屋根材は支持を失って風で飛んでしまうから、危険であるほか、再び屋根材を枠内に嵌合する作業は非常に面倒である。
【０００４】
屋根材の嵌合溝と屋根材の肉厚を常に適正にし、また垂木のピッチを小さくすれば、このような事故を減らすことはできるが、屋根材の肉厚に合わせて種々の大きさの嵌合溝の大きさを細かく対応することも、垂木のピッチを小さくすることも、ともにコストが高くなるという問題があった。
【０００５】
本発明は上記問題点を解消し、強風が吹きつけても抜けを有効に防止することができるとともに、コストも低く抑えることができる屋根材の抜け防止構造を提供することをその課題とする。
【０００６】
【課題を解決するための手段】
前記課題を解決するため、本発明に係る屋根材の抜け防止構造は、屋根の前枠又は後枠に形成された屋根材挿入溝内に弾性を有する抜け防止金具を設け、上記挿入溝の上縁と抜け防止金具との間に屋根材を挿入し、上記屋根材を上記屋根材挿入溝の上縁に押圧させて上記屋根材上面と上縁上面とを略平面状にして固定した屋根材の抜け防止構造であって、上記挿入溝は、上縁とそれよりも長い下縁の屋根材挿入と反対側を連結縁で略コ字形に形成するとともに、下縁の開口側の端部に連結縁よりも短い支持縁を起立形成することによって成り、上記上縁と支持縁との間に上記屋根材を挿入するようにしたものであることを特徴とする。
【０００７】
前記抜け防止金具は、前記上縁に沿うように配設される押圧片の一側に前記連結縁の高さよりも小さい間隔保持片を屈曲形成し、上記押圧片の他側には略Ｖ字形の折り曲げ片を形成して成り、前記挿入溝の開口側に上記折り曲げ片が対応するように取り付けられるようにするのが好ましい。
【０００８】
【発明の実施の形態】
図１は本発明に係るテラス屋根の正面図、図２はそのＸーＸ線上の断面図である。
【０００９】
同図において符号１はテラス屋根を示す。テラス屋根１は、主に建物躯体の外壁Ａに固定した後枠３と、上記外壁Ａから離れた位置に支柱２によって支持された前枠４と、後枠３と前枠４とに一定の間隔で掛け渡された垂木５及び両端の側枠６とによって形成された方形の枠内に屋根材７を取り付けることによって構成され、さらに垂木５間及び垂木５と側枠６との間には中骨８が取り付けられている。
【００１０】
図３に示すように、後枠３には、屋根材７の嵌合溝９と垂木５及び側枠６の端部の嵌合部１０が形成されている。
【００１１】
図４に示すように、垂木５は中空部１１の上部にカバー材１２を着脱可能に設けたもので、両側に屋根材７の端部を支持し、その上からカバー材１２をネジ止めにより押圧固定するように形成されている。
【００１２】
同様に、側枠６も中空部の上部にカバー材１２を着脱可能に設けるとともに、内側に屋根材７の端部を支持する段部１３を備えたもので、この段部１３に屋根材７の端部を支持し、その上からカバー材１２をネジ止めにより押圧固定するように形成されている。
【００１３】
次に、図５に示されるように、前枠４は中空部１４の前部に樋部１５を、中空部１４の上部には屋根材７の挿入溝１６を、また中空部１４の後部には垂木５及び側枠６の端部の受け部１８を設けたものであり、両端にはキャップ１７が固定されている。
【００１４】
屋根材７はアクリル樹脂、ポリカーボネート等から構成され、図３、図５及び図７(a) に示されるように、その前後端部はそれぞれ前枠４と後枠３の内側に形成された挿入溝１６と嵌合溝９に嵌合され、図７(b) に示されるように、左右両側端は垂木５又は側枠６とカバー材１２との間に挟持されている。また、図３及び図４に示されるように、屋根材７の後端及び両側はビード材１９ａやモヘア１９ｂを介して取り付けられている。
【００１５】
ところで、図５及び図６に示すように、前枠４に形成された屋根材７挿入溝１６内には抜け防止金具２０が設けられ、上記屋根材７は上記挿入溝１６の上縁と抜け防止金具２０との間に挿入して固定されている。そこで、上記屋根材７の前端と前枠４の取付態様を詳しく説明する。
【００１６】
前枠４には屋根材７の挿入溝１６が形成されているが、この挿入溝１６は、上縁２１とそれよりも長い下縁２２の前側を連結縁２３で略コ字形に形成するとともに、下縁２２の開口側の端部には連結縁２３よりも短い支持縁２４を起立形成したものである。支持縁２４の上端内側には突部２５が形成されている。上記上縁２１と支持縁２４との間に形成される開口端の大きさは充分に大きい。
【００１７】
上記抜け防止金具２０はステンレス板、アルミニウム又は合成樹脂製の押出形材等によって構成された短尺の部材で、弾性を有するとともに、上記上縁２１に沿うように配設される押圧片２６の一側に上記連結縁２３の高さよりも小さい間隔保持片２７を屈曲形成し、上記押圧片２６の他側には略Ｖ字形の折り曲げ片２８を形成して成るものである。上記抜け防止金具２０は挿入溝１６の開口側に上記折り曲げ片２８が対応するように取り付けられる。また、折り曲げ片２８の端部は支持縁２４の上端内側の突部２５に係合するように固定する。通常の場合、屋根材７を取り付ける枠内において、前枠４の下縁２２の中央部又は数カ所に配置すればよい。
【００１８】
抜け防止金具２０の取付け方法は、挿入溝１６の開口端から内部に挿入するか、または挿入溝１６の長手方向の端面からスライドして挿入してもよい。さらに、抜け防止金具２０は両面テープなどの接着手段によって予め工場で取り付けておくのが好ましい。
【００１９】
なお、抜け防止金具２０は長尺であってもよい。
【００２０】
上記構成の前枠４の挿入溝１６に屋根材７の前端７ａを挿入するときは、その前端７ａを挿入溝１６の開口端から内部に挿入する。前端７ａは抜け防止金具２０の折り曲げ片２８に斜めに当たって挿入溝１６の奥に案内される。屋根材７の前端７ａを押し込むとき、間隔保持片２７は抜け防止金具２０が有する弾性により挿入溝１６内で少し余裕をもって上下に動くことができるから、挿入作業に支障はない。最後に押圧片２６と上縁２１との間に挟持された状態となり、屋根材７は挿入溝１６の上縁２１に押圧される。その後、屋根材７の後端部を後枠３の嵌合溝９に嵌合し、両側を垂木５と側枠６とカバー材１２とによりネジ止め固定すればよい。
【００２１】
上述のように、屋根材７の前端７ａは抜け防止金具２０と挿入溝１６の上縁２１との間に挿入されるが、抜け防止金具２０は弾性を有しているから、屋根材７の厚みが多少変化しても容易に挿入できる。
【００２２】
また、屋根材７の前端７ａは抜け防止金具２０によって挿入溝１６の上縁２１に強く押圧された状態で挿入され、強固に押えられるから、屋根材７に強風が吹きつけても、屋根材７のあおりや撓みは小さくなり、抜けを有効に防止することができる。
【００２３】
簡単な構造の抜け防止金具２０を取り付けるだけで屋根材７の抜けが有効に防止できるから、コストも低く抑えることができる。
【００２４】
なお、後枠３の屋根材７の挿入溝１６の形状を前枠４と同様とし、内部に上記のものと同様の抜け防止金具２０をとりつけるようにしてもよい。
【００２５】
さらに、上記屋根材７の抜け防止構造は、テラス屋根に限定されない。カーポート、バルコニー等の屋根にも適用することができる。
【００２６】
【発明の効果】
請求項１に係る発明によれば、屋根の前枠又は後枠の挿入溝の上縁と、挿入溝内に設けた抜け防止金具との間に屋根材を挿入して固定する構造であるから、屋根材のあおりや撓みが抑えられるから、強風が吹きつけても抜けを有効に防止することができる。
【００２７】
また、簡単な構造の抜け防止金具を取り付けるだけで屋根材の抜けが有効に防止できるから、コストも低く抑えることができる。
【００２８】
さらに、屋根材の前端は抜け防止金具と挿入溝の上縁との間に挿入されるが、抜け防止金具は弾性を有しているから、屋根材の厚みが多少変化しても容易に挿入できる。
【００２９】
また、屋根材の前端は抜け防止金具によって挿入溝の上縁に強く押圧された状態で挿入される。さらに、挿入溝の上縁上面と屋根材上面とが略平面状になるように固定されているので、強風が吹きつけても抜けを有効に防止することができる。
【００３０】
さらに、屋根材の挿入溝は、上縁とそれよりも長い下縁の屋根材挿入と反対側を連結縁で略コ字形に形成するとともに、下縁の開口側の端部には連結縁よりも短い支持縁を起立形成して成り、上記上縁と支持縁との間に屋根材を挿入するようにしたものであるから、上縁と支持縁との間から屋根材を挿入することができ、挿入作業は容易である。
【００３１】
請求項２に係る発明によれば、挿入溝に屋根材の前端を挿入するときは、その前端を挿入溝の開口端から内部に挿入する。前端は抜け防止金具の折り曲げ片に斜めに当たって挿入溝の奥に案内される。屋根材の前端を押し込むとき、間隔保持片は挿入溝内で少し余裕をもって上下に動くことができるから、挿入作業は容易であるとともに、厚さの異なる屋根材にも対応することができる。
【図面の簡単な説明】
【図１】本発明に係るテラス屋根の正面図
【図２】図１のＸーＸ線上の拡大断面図
【図３】図２の後枠部分の拡大図
【図４】図１のＹーＹ線上の拡大断面図
【図５】図２の前枠部分の拡大図
【図６】抜け防止金具の斜視図
【図７】(a) (b) は屋根材の取付態様説明図
【符号の説明】
４  前枠
７  屋根材
１６  屋根材挿入溝
２０  抜け防止金具
２１  上縁
２６  押圧片
【図１】
0003565778.tif 000002
【図２】
0003565778.tif 000003
【図３】
0003565778.tif 000004
【図４】
0003565778.tif 000005
【図５】
0003565778.tif 000006
【図６】
0003565778.tif 000007
【図７】
0003565778.tif 000008